(57)【要約】【課題】店舗内で使用するショッピングワゴンを媒体として、自店舗の集客力を利用して効果的な広告効果を得ると言う新しい広告方法の提供を図る。【解決手段】ショッピングワゴンに広告表示を取付けるためのパネルを設け、スーパーマーケット等の店舗は、広告主の注文に応じた広告表示を、前記パネルに取り付けることに依って、当該ショッピングワゴンを広告主との契約に基づき自己の経営する店舗内での広告媒体として使用し、これにより店舗備品であるショッピングワゴンを広告媒体化して広告掲載利益を図るようにしたショッピングワゴンを媒体とする広告方法。【選択図】      図１
2004191494.tif 000002
【特許請求の範囲】
【請求項１】
ショッピングワゴン（１）のネスティング機能を阻害しない位置に別途用意する広告表示を取付けるためのパネル（２）を設け、スーパーマーケット等の店舗は、広告主の注文に応じた広告表示を、前記パネルに取り付けることに依って、当該ショッピングワゴン（１）を自己の経営する店舗内での広告媒体として使用し、広告主との契約に基づく所定期間経過後は、今までの広告表示を除去すると共に新たな広告主の広告表示を取付け、これにより自店舗の備品であるショッピングワゴン（１）を広告媒体化して広告掲載利益を図るようにしたショッピングワゴンを媒体とする広告方法。
【請求項２】
ショッピングワゴン（１）のネスティング機能を阻害しない位置に別途用意する広告表示を取付けるためのパネル（２）を設け、当該パネル（２）は製造メーカーによる製造時に予め固設させ、これを購入したスーパーマーケット等の店舗は、広告主の注文に応じた広告表示を、前記パネルに取り付けることに依って、当該ショッピングワゴン（１）を自己の経営する店舗内での広告媒体として使用し、広告主との契約に基づく所定期間経過後は、今までの広告表示を除去すると共に新たな広告主の広告表示を取付け、これにより自店舗の備品であるショッピングワゴン（１）を広告媒体化して広告掲載利益を図るようにしたショッピングワゴンを媒体とする広告方法。
【請求項３】
ショッピングワゴン（１）の両側面に広告表示貼着用パネル（２）を、ネスティング機能を阻害しないように固設し、セパレーター（３ａ）で覆われた接着剤層（３ｂ）を裏面に設けかつ表面には所定の広告表示が成された広告シート（３）を、当該パネル（２）に対して剥離可能に貼着するようにした請求項１または請求項２に記載のショッピングワゴンを媒体とする広告方法。
【発明の詳細な説明】
【０００１】
【発明の属する技術分野】
本発明は、スーパマーケット等の店舗内で使用するショッピングワゴンを広告媒体として、自店舗が有する集客力を利用して効果的な広告効果を得ると言う新しい広告方法の提供を図る。
【０００２】
なお、本発明で言うショッピングワゴンとは、主としてスーパーマーケット等の店舗において、買い物をする際に一般消費者が商品を運ぶためのものでありかつネスティング機能を有するショッピング用のカートであって、通称「ショッピングカート」と呼ばれているものを対象とする。
【０００３】
【従来の技術】
従来、ショッピングワゴンの正面に、店舗の所有物であることを表示するための店名表示が成されたものは存在するが、具体的な商品の広告を行うと言う考え方は存在しなかった。
【０００４】
【発明が解決しようとする課題】
ショッピングワゴンを広告媒体として利用すると仮定した場合、広告表示が施された表示を、ショッピングワゴンの所要箇所に例えばペイント手段で施すことが考えられる。  また、所定の金属板等に広告を表示し、ショッピングワゴンの製造時にこれを固設すると言うことも考えられる。
【０００５】
上記したように、ショッピングワゴンに直接広告表示を施してしまった場合、広告表示が施されたショッピングワゴンは、当該表示の広告媒体用としての利用に限定され、他の商品の広告媒体に転用利用することはできない。  従って、このように広告対象が限定されてしまった場合、流行性・季節性・その他種々の理由で、広告表示の変更を行おうとしても簡単には行えず、極端の場合はショッピングワゴンの取り替えと言うような負担を余儀なくされることとなる。
【０００６】
更に、ショッピングワゴンの製造メーカーにあっては、通常、多数のショッピングワゴンを製造しておき、注文があった際に、在庫からその注文台数分を出庫すると言うような営業形態を採るものである。  すなわち、完成化された同一形態のショッピングワゴンをストックしておき、注文があった際にこれを出庫するというような営業形態を採るものである。
然るに、上記したようにショッピングワゴン自体に広告表示を製造時に固定化した場合は、例えば、Ａ店が指定した広告を付したショッピングワゴンはＡ店用に限定され、他の店には納品不能とされる。  すなわち、ショッピングワゴンは従来のような互換性が損なわれ、製造メーカーは納品先に対応した製品製造を行わなければならないと言うような、製造上の限定性が生じることを余儀なくされる。
【０００７】
本発明は上記のような問題を生じさせることなく、ショッピングワゴンを媒体とする広告方法と言う新規な方法の提供を図ったものである。
【０００８】
【課題を解決するための手段】
本発明は、ショッピングワゴン１のネスティング機能を阻害しない位置に別途用意する広告表示を取付けるためのパネル２を設け、スーパーマーケット等の店舗は、広告主の注文に応じた広告表示を、前記パネルに取り付けることに依って、当該ショッピングワゴン１を自己の経営する店舗内での広告媒体として使用し、広告主との契約に基づく所定期間経過後は、今までの広告表示を除去すると共に新たな広告主の広告表示を取付け、これにより自店舗の備品であるショッピングワゴン１を広告媒体化して広告掲載利益を図るようにしたショッピングワゴンを媒体とする広告方法に係るものである。
【０００９】
そして、ショッピングワゴン１の両側面に広告表示貼着用パネル２を、ネスティング機能を阻害しないように固設し、セパレーター３ａで覆われた接着剤層３ｂを裏面に設けかつ表面には所定の広告表示が成された広告シート３を、当該パネル２に対して剥離可能に貼り着するようになし、更に、前記パネルはショッピングワゴンの製造メーカーにおいて予め固設し、前記広告シートはスーパーマーケット側で別途製造することを具体的実施例の一つとする。
【００１０】
本発明はこのような構成に基づき、スーパーマーケット等店舗の備品であるショッピングワゴンを新しい広告媒体として利用し、また、その広告掲載も自由に変更可能とすると言うような、極めて合理的な広告形態を取ることにより新規なビジネスの展開が図られるようにしたものである。
【００１１】
【発明の実施の形態】
図１は本発明方法に用いるショッピングワゴンの一例を表したものである。  同図において、２はショッピングワゴン１の両側部に固設した広告表示貼着用パネルであって、通常は金属板またはプラスチック板のような腰のある資材によって形成する。  そして、その表面は、以下で述べる広告シート３の貼着及び剥離に適した平滑面とすることが好ましい。
【００１２】
なお、図１において、広告表示貼着用パネル２をショッピングワゴン１の両側部に設けたのは、単なる例示に過ぎず、本発明はこれに限定されるものでは決してない。  すなわち、当該パネル２の取付けは下記するようにネスティング機能を阻害しない形態であれば、例えば正面等必要に応じて適宜設けるものとする。そして、その取付け数も制限されるものではない。
【００１３】
また、当該広告表示貼着用パネル２のショッピングワゴン１に対する取付は、当該ショッピングワゴンが有するネスティング機能を阻害しないような形態で取付けることが絶対的要件である。  なお、ネスティング機能とは、所定のワゴン置場に収納する際に、ワゴンの奥行方向に重ねて収納されるようにした機能である。
【００１４】
３は広告シートであって、その表面には広告主が希望する広告表示を施しておくものである。  そして、当該広告シート３の裏面には、セパレーター３ａで覆われた接着剤層３ｂが設けられている。  なお、当該広告シート３は本発明における広告表示の一つの例を表したに過ぎず、これに限定されるものではない。  すなわち、着脱の自在性が図られかつ上記したネスティング機能を阻害しないものであれば、その取付け手段は如何なる形態であっても可とする。
【００１５】
上記したパネル２を具えたショッピングワゴン１は、ショッピングワゴンの製造メーカーにおいて製造し、これをスーパーマーケット等の店舗に納品する。  そして、上記した広告シート３は、広告主自身または広告主の依頼によりスーパーマーケット等の店舗自身で製造する。
【００１６】
また、上記した広告シート３の貼り着作業は、主としてスーパーマーケット等の店舗側において行い、ショッピングワゴンの製造メーカーはこの作業に通常は従事しない。  これに依り、製造メーカーは同一形態のショッピングワゴンを予め製造してストックしておき、注文があった際にこれを出庫して納品することができる。  すなわち、広告の指定性がないため、出庫するショッピングワゴンの汎用性が図られる。
【００１７】
本発明の構造的な特徴は、ショッピングワゴンとして、その所要箇所に別途用意する広告表示を取付けるためのパネルを具えたものを用いる点にある。  すなわち、広告表示をショッピングワゴンに予め固定化してしまった場合は、本発明の実施は阻害される。  そのため、本発明においては、当該パネルはショッピングワゴンの製造メーカーが行い。  広告自体は当該ショッピングワゴンを購入したスーパーマーケット等の店舗側で製造しまたその管理を行うことにより、自己の店舗備品であるショッピングワゴンを広告媒体化して広告掲載利益を図ると言う新しいビジネスの実行ができることとなる。
【００１８】
換言すれば、パネルを含めたショッピングワゴン自体の製造はその製造メーカーが携わり、広告に関しての広告主の注文応対及び広告表示自体の製造は、ショッピングワゴンを保有するスーパーマーケット等の店舗が従事することにより、自己の店舗備品であるショッピングワゴンを広告媒体化して広告掲載利益を図ることができるわけである。
【００１９】
【発明の効果】
本発明は請求項１に記載のような構成を採用すること事により、従来、全く行われていなかった自己の店舗備品であるショッピングワゴンを広告媒体化して広告掲載利益を図ると言う、スーパーマーケット等の店舗における新しい営業を展開することができる。
【００２０】
すなわち、スーパーマーケット等の店舗にはその店の努力により多くの客の出入りが図られている。  然し乍、従来においては、このような客を単なる商品の販売対象としか見ていなかった。
これに対して、本発明方法を実施することにより、「店舗内に出入りする客を広告の伝達対象とする」と言う新しい展開が図られ、これによりスーパーマーケット等の店舗は、本来の販売業務以外に広告業務と言う新しいビジネスの実行が図られることとなる。  そして、その広告は自店舗内で販売する商品に限られず、例えば映画の広告、ＣＤの広告、旅行の広告等、幅広くその利用が図られる。換言すれば、スーパーマーケット等の店舗が保有する集客力を利用して広告活動を行わせる、という新しい営業的システムの実行が図られるわけである。
【００２１】
本発明は請求項２に記載のように、ショッピングワゴン１のネスティング機能を阻害しない位置に別途用意する広告表示を取付けるためのパネル２を設け、当該パネル２は製造メーカーによる製造時に予め固設させ、これを購入したスーパーマーケット等の店舗は、広告主の注文に応じた広告表示を、前記パネルに取り付けることに依って、当該ショッピングワゴン１を自己の経営する店舗内での広告媒体として使用するようなシステムを採ることができる。
これに依り、例えば、ショッピングワゴンに直接広告表示を施して完成化させるような製造形態を採った場合に生じる、「広告表示が施されたショッピングワゴンは、当該表示の広告媒体用としての利用に限定され、他の商品の広告媒体に転用利用することはできないため、店の注文毎にオーダーメード的な製造を行わなくてはならない」と言うような製造メーカー側の問題発生を回避させる。
【００２２】
従って、ショッピングワゴンの製造メーカーにあっては、多数のショッピングワゴンを製造しておき、注文があった際に、在庫からその注文台数分を出庫すると言うような、今までと同様の営業形態は、本発明方法の実施にも係わらず変わりなく採ることができる。
【００２３】
本発明は請求項３に記載のような構成、すなわち、ショッピングワゴン１の両側面に広告表示貼着用パネル２を、ネスティング機能を阻害しないように固設し、セパレーター３ａに覆われた接着剤層３ｂを裏面に設けかつ表面には所定の広告表示が成された広告シート３を、当該パネル２に対して剥離可能に貼着することにより、ショッピングワゴンの製造は、これに表示する広告内容とは関係なく製造することができ、上述したように製造メーカー側のストック上の問題発生が解消される。  同時に、掲載広告の変更作業も極めて簡便に行われるため、スーパーマーケット等の店舗側で何等問題なく実行可能とされるばかりでなく、例えば短期的等、木目の細かい広告掲載が可能化される。  そして、広告掲載もペイントまたは焼き付け等に依存した場合に比して、著しく廉価に行われることとなる。
【図面の簡単な説明】
【図１】本発明方法に用いるショッピングワゴンの一例を表した説明用斜視図である。
【図２】本発明方法に用いる広告シートの一例を表した正面図である。
【図３】図２におけるＡ−Ａ線部分で切断して矢印方向を見た場合の断面図である。
【符号の説明】
１  ショッピングワゴン
２  広告表示貼着用パネル
３  広告シート
３ａ      セパレーター
３ｂ  接着剤層
【図１】
2004191494.tif 000003
【図２】
2004191494.tif 000004
【図３】
2004191494.tif 000005